(57)【特許請求の範囲】
【請求項１】
筒体に形成されるとともに、先端にレーザー光源からのレーザー光を集光するレンズを備えたハンドピース本体と、
ハンドピース本体側に後端を一体的に固定し内部を導光路とした内筒と、該内筒に外嵌させ該内筒との間に患部への冷却用圧縮空気の流路を形成した外筒と、外筒の先端側に配置したレーザー光照射口、流体噴出孔を設けたヘッドと、を具備するハンドピース先端部と、を有し、
前記レンズより先端側において冷却用圧縮空気の流路とレーザー光の導光路とを分離構成としたことを特徴とするレーザーハンドピース。
【請求項２】
前記外筒をハンドピース本体側に着脱自在かつ回転自在に構成したことを特徴とする請求項１記載のレーザーハンドピース。
【発明の詳細な説明】
【０００１】
【発明の属する技術分野】
本発明は歯科治療用のレーザーハンドピースに関する。
【０００２】
【従来の技術】
図５に示されるように、従来から歯科治療に用いられているレーザーハンドピース４１は、レーザー光源４２から伝送されたレーザー光がレンズ４３にて集光された後、筒体４４の中空に形成された導光路４５を経て反射ミラー４６に至り、反射ミラー４６にて反射された光が出射孔４７から患部に照射されるように構成されている。
【０００３】
このように、レンズ４３にて集光されてからレーザー光の出射孔４７に至るまでの中空に形成された導光路４５内には、レーザー光にて患部を蒸散し切開する際に発生する蒸気や異物等が入り込んで、反射ミラー４６や集光レンズ４３に異物が付着する恐れがあるので、これを防止するために接続口４８から連絡孔４９を経て陽圧用圧縮空気５０を導光路４５内に供給し、導光路４５内を常に陽圧にすることにより蒸気や異物が進入することを防ぐようにしている。
【０００４】
【発明が解決しようとする課題】
しかしながら、前記従来のレーザーハンドピース４１は、導光路４５内を常に陽圧にしている圧縮空気等が治療部を冷却する目的ではないために、現状では必要に応じ、シリンジ等を併用してレーザーハンドピースの側面から冷却用の圧縮空気等を噴射している。
【０００５】
このように、シリンジ等を用いてレーザーハンドピースの側面から冷却用の圧縮空気等を噴射する方法ではシリンジ等が治療の妨げになり、治療能率が低下するという問題がある。
【０００６】
よって本発明は前記問題点に鑑みてなされたものであり、レーザーハンドピース１本にて患部を冷却しつつ治療することができるレーザーハンドピースの提供を目的とする。
【０００７】
【課題を解決するための手段】
上記目的を達成するため、本発明に係る請求項１のレーザーハンドピースは、筒体に形成されるとともに、先端にレーザー光源からのレーザー光を集光するレンズを備えたハンドピース本体と、ハンドピース本体側に後端を一体的に固定し内部を導光路とした内筒と、該内筒に外嵌させ該内筒との間に患部への冷却用圧縮空気の流路を形成した外筒と、外筒の先端側に配置したレーザー光照射口、流体噴出孔を設けたヘッドと、を具備するハンドピース先端部と、を有し、前記レンズより先端側において冷却用圧縮空気の流路とレーザー光の導光路とを分離構成としたことを特徴とするものである。
【０００８】
請求項１によれば、レーザー光を集光するレンズの先端側において冷却用圧縮空気の流路とレーザー光の導光路とを分離構成としたことにより、従来、シリンジ等によりレーザーハンドピースの側面から患部に冷却用圧縮空気を噴射していたことによる治療上の支障がなくなり、レーザーハンドピース１本にて患部を冷却しつつ治療を行うことが可能となる。これにより治療能率が向上する。
【０００９】
請求項２のレーザーハンドピースは、前記外筒をハンドピース本体側に着脱自在かつ回転自在に構成したことを特徴とするものである。
【００１０】
請求項２によれば、患部冷却用の流体流路は内筒と外筒との間に同芯状に形成されているので、外筒が回転可能であっても流体流路の形成には支障がなく、また外筒を回転することによりレーザー出射孔の方向を自在に変換することができ、治療操作を容易にすることが可能となる。
【００１１】
【発明の実施の形態】
以下、本発明の実施の形態を図面に基づいて説明する。図１から図４は本発明の実施の形態に係り、図１はレーザーハンドピースの断面図、図２はレーザーハンドピースの側面図、図３はレーザーハンドピース先端部の側面図、図４はレーザーハンドピース本体の側面図である。
【００１２】
本発明のレーザーハンドピース１は、図３及び図４に示されるように、ハンドピース本体２に対してハンドピース先端部３が着脱可能に構成されており、その詳細な構成は図１に示されるように、ハンドピース本体２は、筒体に形成され、その外周が本体側グリップ４となっていて、その後端にはマニピュレーター５接続用の接続部６が設けられている。
【００１３】
また先端には、レーザー光を集光するレンズ８がカートリッジ７内にレンズ押さえ９により固定されたレンズ固定部１０を支持する継ぎ部材１１に装着され、継ぎ部材１１の先端側にはレーザー光源３３から伝送されるレーザー光の導光路３２を形成する内筒１２が固定されている。なお、この内筒１２は、外径が先端に向かって４段に漸次縮径された形状となっている。
【００１４】
一方、外筒１３はその内径が内筒１２の外径より大きい径に形成され、内筒１２の外径との間に同芯状の隙間、即ち流体の流路１４が形成されるようになっている。また外筒１３の外周は先細の外筒側グリップ１５になっている。この外筒１３はその後端が前記継ぎ部材１１に対して、固定リング１６を介して連結されている。
【００１５】
前記固定リング１６と継ぎ部材１１との連結部は、図４に示される継ぎ部材１１側の螺旋状溝１７に対し、固定リング１６側に設けられたロックピン１８が係合され、回転することによりマーク１７ａの位置にて固定され、また逆回転することにより取り外しができる着脱自在な構成となっている。一方、固定リング１６と外筒１３との連結部は、図１に示されるようにストッパーリング１９及び０リング２０を介して回転自在に嵌合されている。
【００１６】
さらに、外筒１３の先端には、レーザー光を反射して患部に照射する反射ミラー２１とレーザー光の出射孔２２及び冷却用圧縮空気３５の複数の噴出孔２３とを備えた三方リング２４が設けられたヘッド２５が嵌着されている。なお冷却用圧縮空気３５の噴出孔２３に対しては、連絡孔２６を介して前記流体流路１４に連通されている。
【００１７】
また継ぎ部材１１には陽圧用圧縮空気３４の接続口２７及び冷却用圧縮空気３５の接続口２８が設けられ、接続口２７から供給された陽圧用圧縮空気３４は連絡孔２９及びカートリッジ７に形成された空間３０を経て内筒１２内の導光路３２に連通され、接続口２８から供給された冷却用圧縮空気３５は連絡孔３１を経て内筒１２と外筒１３との間に形成された流体流路１４に連通されている。
【００１８】
以上の構成により、レーザー光の導光路３２と冷却用圧縮空気３５の流体流路１４とは完全に分離され、内筒１２の軸心に形成されたレーザー光の導光路３２内には陽圧用圧縮空気３４が供給されて常に陽圧に保たれるとともに、流体流路１４には冷却用圧縮空気３５が供給され、ヘッド２５に設けられた三方リング２５のレーザー光の出射孔２２からレーザー光を出射すると同時に冷却用圧縮空気噴射孔２３から冷却用圧縮空気３５を噴出することが可能となる。
【００１９】
また、冷却用圧縮空気３５は、圧力が０．０２〜０．０４ＭＰａで、この圧力に対応した噴射量が毎分５〜１０リットルの範囲に設定されている。この噴射圧力は０．０２ＭＰａ以下になると吐出量が不足し、０．０４ＭＰａ以上になると口腔内の粘膜に気腫が発生する恐れがあるので０．０４ＭＰａに設定することが好ましい。また噴射量は毎分５リットル以下になると冷却不足となり、１０リットル以上になると口腔内の唾液等が口腔外に飛散する恐れがあるので、毎分７リットルに設定することが好ましい。
【００２０】
【発明の効果】
本発明によれば、患部を蒸散し切開するためのレーザー光をレンズで集光し筒体内を経てその先端から患部に照射するレーザーハンドピースにおいて、レーザー光を集光するレンズの先端側において冷却用圧縮空気の流路とレーザー光の導光路とを分離構成としたことにより、レーザーハンドピース１本にてレーザー光を照射すると同時に冷却用圧縮空気を患部に噴射することが可能となり、術者１一人にて患部を冷却しつつ治療することが可能となる。従って、従来のように冷却用の流体を噴射するシリンジ等を補助者の手を借り使用する必要がないので治療の妨げにならない。
【００２１】
さらにハンドピースの先端部が回転自在になっているので、この回転によりレーザー光の出射方向を自在に変換することができ、患部に対して的確にレーザー光を照射しかつ冷却用の流体を噴射しつつ治療することが可能となる。
【図面の簡単な説明】
【図１】本発明の実施の形態に係るレーザーハンドピースの断面図。
【図２】レーザーハンドピースの側面図。
【図３】レーザーハンドピース先端部の側面図。
【図４】レーザーハンドピース本体の側面図。
【図５】従来のレーザーハンドピースの断面図。
【符号の説明】
１ レーザーハンドピース
２ ハンドピース本体
３ ハンドピース先端部
４ 本体側グリップ
５ マニプレーター
６ 接続部
７ カートリッジ
８ レンズ
９ レンズ押さえ
１０ レンズ固定部
１１ 継ぎ部材
１２ 内筒
１３ 外筒
１４ 流体流路
１５ 外筒側グリップ
１６ 固定リング
１７ 螺旋状溝
１８ ロックピン
２０ ０リング
２１ 反射ミラー
２２ レーザー出射孔
２３ 冷却空気噴出孔
２４ 三方リング
２５ ヘッド
２６，２９，３１，連絡孔
２７ 陽圧用圧縮空気接続口
２８ 冷却空気接続口
３０ 空間
３２ 導光路
【図１】
0004246341.tif 000002
【図２】
0004246341.tif 000003
【図３】
0004246341.tif 000004
【図４】
0004246341.tif 000005
【図５】
0004246341.tif 000006